(57)【要約】【課題】  カメムシなどの害虫が窓のサッシなど室内のどのような位置にいても容易に捕獲が可能な害虫捕獲具を提供する。【解決手段】  捕獲具本体２と中栓５を備えた害虫捕獲具１であって、捕獲具本体は、足部２１と、足部２１の上方に位置する滑落部２３と、滑落部２３の上方に位置し複数の平面板で構成される捕獲部２５と、を備えた略漏斗形状であり、捕獲部２５は、高さが等しい８枚の平面板が側端辺で垂直に結合されて上面視略Ｔ字状の枠体であり、前記平面板の所定の一枚が第一捕獲面４１とされ、第一捕獲面４１の両側に接続された平面板が第一捕獲面４１よりも幅が狭い第二捕獲面４２及び第三捕獲面４３とされ、第二捕獲面４２及び第三捕獲面４３の幅が１１ｍｍ乃至１８ｍｍとされる。【選択図】  図１
2013094143.tif 000002
【特許請求の範囲】
【請求項１】
ペットボトルの口に装着し、手作業で害虫を捕獲するときに使用する害虫捕獲具であって、
前記ペットボトルに装着する捕獲具本体を有し、
該捕獲具本体は、下方に位置する管状の足部と、該足部の上方に位置する略円錐台面形状の滑落部と、該滑落部の上方に位置し複数の平面板で構成される捕獲部と、を備えた略漏斗形状であり、前記捕獲部を形成する所定の平面板の上端縁を害虫が留っている面に当接させて前記害虫を捕獲し、前記捕獲部で捕獲した害虫を前記滑落部及び前記足部を介して前記ペットボトル内に集積して使用されるものであって、
前記捕獲部は、高さが等しい少なくとも６枚以上の前記平面板が側端辺で垂直に結合されて形成される枠体であり、
前記捕獲部における所定の一面は、広い面に留っている害虫を捕獲する時に使用される第一捕獲面とされ、
前記捕獲部における前記第一捕獲面とは異なる所定の一面は、狭いスペースに留っている害虫を捕獲するときに使用する、前記第一捕獲面よりも幅が狭い第二捕獲面とされ、
前記滑落部は、前記捕獲部の下端縁から前記足部の上端縁まで収束するように形成され、
前記足部の上端近傍の外方には、前記捕獲具本体を前記ペットボトルの口に取り付けるための結合用キャップが設けられていることを特徴とする害虫捕獲具。
【請求項２】
前記捕獲部における前記第一捕獲面及び前記第二捕獲面とは隣接しない所定の一面の上端には、上方内側に向かって延在するフラップが設けられていることを特徴とする請求項１に記載の害虫捕獲具。
【請求項３】
前記足部の内側上端を封止する着脱自在な中栓を備えることを特徴とする請求項１又は請求項２に記載の害虫捕獲具。
【請求項４】
前記中栓の上面には、前記捕獲部内へ害虫を掃き入れるためのヘラが取り付けられていることを特徴とする請求項３に記載の害虫捕獲具。
【請求項５】
前記捕獲部は、８枚の平面板が側端辺でそれぞれ結合された上面視略Ｔ字状の枠体であり、
前記第一捕獲面と前記第二捕獲面とは隣接する面とされ、
前記第二捕獲面と対向する面であって前記第一捕獲面と隣接する一面は、前記第一捕獲面よりも幅が狭く、前記第二捕獲面の幅以上の幅を有した第三捕獲面とされることを特徴とする請求項１乃至請求項４のいずれか１項に記載の害虫捕獲具。
【請求項６】
前記フラップは、前記第一捕獲面と対向する面の上端縁に形成され、かつ、当該面に対して１１０度の角度で形成されていることを特徴とする請求項５に記載の害虫捕獲具。
【請求項７】
前記第一捕獲面は、８０乃至１００ｍｍの幅とされ、
前記第二捕獲面及び第三捕獲面は、１１乃至１８ｍｍの幅とされ、
前記フラップが形成された一面は、５０乃至７０ｍｍの幅とされ、
前記第二捕獲面及び第三捕獲面は、前記フラップが形成された面の両側端辺から外方に少なくとも１０ｍｍ以上突出した位置に形成されていることを特徴とする請求項６に記載の害虫捕獲具。
【請求項８】
前記足部は、外径が２１ｍｍ以下に形成されていることを特徴とする請求項１乃至請求項７のいずれか１項に記載の害虫捕獲具。
【請求項９】
前記ヘラは、変形可能な樹脂によって形成され、かつ、先端部に複数の切り込みが設けられて櫛状に形成されていることを特徴とする請求項４乃至請求項８のいずれか１項に記載の害虫捕獲具。
【発明の詳細な説明】
【技術分野】
【０００１】
本発明は、カメムシなどの害虫を捕獲するときに使用する害虫捕獲具に関する。
【背景技術】
【０００２】
宅内の害虫を捕獲する用具に関して多くの提案が成されている。例えば、特許文献１では、上方が方形で下方が逆円錐面形状の漏斗体をペットボトルの飲み口に装着することでカメムシを捕集可能な装置の提案が成されている。
【先行技術文献】
【特許文献】
【０００３】
【特許文献１】実用新案登録第３０９２４８０号
【発明の概要】
【発明が解決しようとする課題】
【０００４】
上記特許文献１の提案によれば、カメムシを容易に捕獲することができ、また、ペットボトルを捕集容器として使用できるため実用性も高い。しかしながら、特許文献１の提案では、窓のサッシなどにカメムシが入り込んでいるときには捕獲が困難であり、カメムシが壁面の下端（床面の近く）などにいる場合にも捕獲困難であるという問題点があった。
【０００５】
本発明は、上述したような従来技術の問題点に鑑みて成されたものであり、カメムシなどの害虫が窓のサッシなど室内のどのような位置にいても容易に捕獲が可能な害虫捕獲具を提供することを目的としている。
【課題を解決するための手段】
【０００６】
請求項１の発明は、ペットボトルの口に装着し、手作業で害虫を捕獲するときに使用する害虫捕獲具であって、前記ペットボトルに装着する捕獲具本体を有し、該捕獲具本体は、下方に位置する管状の足部と、該足部の上方に位置する略円錐台面形状の滑落部と、該滑落部の上方に位置し複数の平面板で構成される捕獲部と、を備えた略漏斗形状であり、前記捕獲部を形成する所定の平面板の上端縁を害虫が留っている面に当接させて前記害虫を捕獲し、前記捕獲部で捕獲した害虫を前記滑落部及び前記足部を介して前記ペットボトル内に集積して使用されるものであって、前記捕獲部は、高さが等しい少なくとも６枚以上の前記平面板が側端辺で垂直に結合されて形成される枠体であり、前記捕獲部における所定の一面は、広い面に留っている害虫を捕獲する時に使用される第一捕獲面とされ、前記捕獲部における前記第一捕獲面とは異なる所定の一面は、狭いスペースに留っている害虫を捕獲するときに使用する、前記第一捕獲面よりも幅が狭い第二捕獲面とされ、前記滑落部は、前記捕獲部の下端縁から前記足部の上端縁まで収束するように形成され、前記足部の上端近傍の外方には、前記捕獲具本体を前記ペットボトルの口に取り付けるための結合用キャップが設けられていることを特徴とする。
【０００７】
請求項２の害虫捕獲具は、前記捕獲部における前記第一捕獲面及び前記第二捕獲面とは隣接しない所定の一面の上端に、上方内側に向かって延在するフラップが設けられていることを特徴とする。
【０００８】
請求項３の害虫捕獲具は、前記足部の内側上端を封止する着脱自在な中栓を備えることを特徴とする。
【０００９】
請求項４の害虫捕獲具は、前記中栓の上面に、前記捕獲部内へ害虫を掃き入れるためのヘラが取り付けられていることを特徴とする。
【００１０】
請求項５の害虫捕獲具において前記捕獲部は、８枚の平面板が側端辺でそれぞれ結合された上面視略Ｔ字状の枠体であり、前記第一捕獲面と前記第二捕獲面とは隣接する面とされ、前記第二捕獲面と対向する面であって前記第一捕獲面と隣接する一面は、前記第一捕獲面よりも幅が狭く、前記第二捕獲面の幅以上の幅を有した第三捕獲面とされることを特徴とする。
【００１１】
請求項６の害虫捕獲具において前記フラップは、前記第一捕獲面と対向する面の上端縁に形成され、かつ、当該面に対して１１０度の角度で形成されていることを特徴とする。
【００１２】
請求項７の害虫捕獲具において前記第一捕獲面は、８０乃至１００ｍｍの幅とされ、前記第二捕獲面及び第三捕獲面は、１１乃至１８ｍｍの幅とされ、前記フラップが形成された一面は、５０乃至７０ｍｍの幅とされ、前記第二捕獲面及び第三捕獲面は、前記フラップが形成された面の両側端辺から外方に少なくとも１０ｍｍ以上突出した位置に形成されていることを特徴とする。
【００１３】
請求項８の害虫捕獲具において前記足部は、外径が２１ｍｍ以下に形成されていることを特徴とする。
【００１４】
請求項９の害虫捕獲具において前記ヘラは、変形可能な樹脂によって形成され、かつ、先端部に複数の切り込みが設けられて櫛状に形成されていることを特徴とする。
【発明の効果】
【００１５】
本発明によれば、カメムシなどの害虫が窓のサッシなど室内のどのような位置にいても容易に捕獲が可能な害虫捕獲具を提供することができる。
【００１６】
捕獲具本体の上端部分に、比較的広い幅の第一捕獲面と、第一捕獲面よりも幅が狭く、狭いスペースに挿入可能な第二捕獲面を備えているため、サッシの隙間など狭いスペースに留っている害虫であっても容易に捕獲することができる。
【００１７】
また、フラップを設けることにより、壁面における床面との交差部分近傍に留っている害虫であっても容易に捕獲することができる。
【００１８】
さらに、中栓を備えることにより、ペットボトル内に捕集された害虫から不快な臭いが発せられた場合であっても外部に臭いが漏れ出すことを防止できる。
【００１９】
また、中栓の上面にヘラが取り付けられていることにより、害虫捕獲時に中栓を持った状態で害虫を捕獲具本体の内側に掃き入れることができ、また、ヘラを使用しないときには中栓とまとめて収納できる。
【００２０】
狭いスペースに留っている害虫を捕獲する時に用いる幅の狭い捕獲面を２つ備えることにより、例えば、窓ガラスが直ぐ側にあってペットボトルや捕獲具本体の背面板が支えて一方の捕獲面が挿入できない状況では他方の捕獲面を使用するといったような、状況に合わせて使い分けることができる。
【００２１】
フラップが背面板に対して１１０度の角度で形成されていることにより、壁面における床面との交差部分近傍に留っている害虫を捕獲具本体内に取り込んだときに害虫が滑落部で滑って床面に落下してしまうことを防止できる。また、捕獲具本体を略寝かせた状態で害虫を捕獲できることとなる。
【００２２】
さらに、第二捕獲面及び第三捕獲面は、１１乃至１８ｍｍの幅とすることにより、一般的なサッシの隙間に容易に挿入できることとなる。また、背面板を５０乃至７０ｍｍの幅とすることにより、ペットボトルに捕獲具本体を装着したときに、ペットボトルから捕獲具本体が大きく突出することが無くなり、使用性、デザイン性に優れた害虫捕獲具を提供できることとなる。
【００２３】
また、前記足部の外径を２１ｍｍ以下とすることにより、ペットボトルの口から足部を挿入することができる。
【００２４】
そして、ヘラの先端部に複数の切り込みを設けることにより、狭い隙間に留っている害虫などを容易にはき出すことができるようになる。
【図面の簡単な説明】
【００２５】
【図１】本発明の実施形態における害虫捕獲具の捕獲具本体及び中栓の斜視図である。
【図２】上記捕獲具本体及び中栓の断面図である。
【図３】上記捕獲具本体の上端面図である。
【図４】上記捕獲具本体をペットボトルに装着した状態の側面図である。
【図５】上記中栓で封をした状態で捕獲具本体をペットボトルに装着した斜視図である。
【図６】壁面にいる害虫を捕獲する参考図である。
【図７】壁面下方にいる害虫を捕獲する参考図である。
【図８】床面にいる害虫を捕獲する参考図である。
【図９】サッシにいる害虫を捕獲する参考図である。
【図１０】その他の捕獲具本体の上端面図である。
【発明を実施するための形態】
【００２６】
以下、本発明の実施形態を図に基づいて詳細に述べる。図１は、本発明の害虫捕獲具１の斜視図であり、図２は、害虫捕獲具１の縦断面図であり、図３は、捕獲具本体２の上端面図であり、図４及び図５は、捕獲具本体２をペットボトル９に装着した側面図及び斜視図である。なお、以下の説明において、図１における捕獲具本体２の管状（足部）部分を下方とし、捕獲具本体２の開口側を上方とし、上下方向と直行する方向を横方向、又は、側方として述べる。また、以下の説明において、図２における下方を正面、上方を背面として述べる。
【００２７】
本実施形態における害虫捕獲具１は、宅内などに侵入した害虫、特にカメムシを捕獲するときに使用するものであり、床面や壁面など広いスペースに留っている害虫は当然のこと、サッシの隙間などに入り込んでいる害虫も容易に捕獲できることを特徴とする。
【００２８】
害虫捕獲具１は、図１乃至図５に示すように、略漏斗形状の捕獲具本体２と、中栓５と、中栓５に取り付けられたヘラ７と、を備える。捕獲具本体２は、ペットボトル９に装着し、害虫を掬い取るように捕獲して、ペットボトル９を捕集容器としてペットボトル９内に害虫を捕集する道具である。中栓５は、捕獲具本体２の開口部分を封止するための道具である。ヘラ７は、害虫を捕獲具本体２の内側に掃き入れるときに使用する道具である。
【００２９】
捕獲具本体２は、下方に位置する管状の足部２１と、足部２１の上端から上方に向かって末広がりの滑落部２３と、滑落部２３の上端から立ち上がる捕獲部２５と、を備え、全体が一体に形成されている。また、足部２１の上端近傍の外方には、捕獲具本体２をペットボトル９の口９１に取り付けるための結合用キャップ２７が設けられている。この結合用キャップ２７は、図示しないがゴム等の弾性体により足部２１の外側面に嵌着されている。なお、捕獲具本体２は、ペットボトル９のように透明で薄く、かつ、一定の強度を有した樹脂で形成されており、例えば、ポリエチレンテレフタレートなどを使用することができる。
【００３０】
捕獲部２５は、８枚の平面板が上面視略Ｔ字状の枠体となるように側端辺で垂直に結合された形状である。この捕獲部２５は、８枚の平面板として、正面板３１、第一側面板３２、第二側面板３３、第一連結板３４、第二連結板３５、第三側面板３６、第四側面板３７、背面板３８を備える。
【００３１】
そして、捕獲部２５は、正面板３１の左端辺に第一側面板３２が後方に向かって垂直に接続され、正面板３１の右端辺に第二側面板３３が後方に向かって垂直に接続されている。また、捕獲部２５は、第一側面板３２の後端辺に第一連結板３４が内側（右側）に向かって垂直に接続され、第二側面板３３の後端辺に第二連結板３５が内側（左側）に向かって垂直に接続されている。さらに、捕獲部２５は、第一連結板３４の右端辺に第三側面板３６が後方に向かって垂直に接続され、第二連結板３５の左端辺に第四側面板３７が垂直に接続されている。そして、捕獲部２５は、第三側面板３６と第四側面板３７の後端辺に背面板３８が接続されている。
【００３２】
正面板３１は、幅（左右方向又は前後方向の長さ）を９０ｍｍ、第一側面板３２は、幅を１１ｍｍ、第二側面板３３は、幅を１８ｍｍ、第一連結板３４及び第二連結板３５は、幅を１５ｍｍ、第三側面板３６は、幅を４９ｍｍ、第四側面板３７は、幅を４２ｍｍ、背面板３８は、幅を６０ｍｍに形成されている。また、捕獲部２５の高さは、２０ｍｍ乃至３０ｍｍとされている。すなわち、捕獲部２５は、前後の長さが６０ｍｍ、左右の長さが最長で９０ｍｍである。捕獲部２５をこのようなサイズに形成しているのは、５００ｍｌ入りのペットボトルの直径が約６０ｍｍのため、捕獲具本体２を５００ｍｌペットボトルに装着したときに捕獲具本体２がペットボトルよりも大きく側方に飛び出さないように鑑みてである。
【００３３】
なお、これらの数値に限定されるものではないが、第一側面板３２及び第二側面板３３は、サッシの隙間に挿入できる１１乃至１８ｍｍとするのが好適である。また、第一連結板３４及び第二連結板３５は、第一側面板３２及び第二側面板３３をサッシの隙間等に挿入したとき、第三側面板３６や第四側面板３７が挿入時の妨げとならないよう、１０乃至２０ｍｍ程度とするのが好適である。これらのサイズが変ることで正面板３１や背面板３８のサイズも変化する。すなわち、正面板３１は、８０乃至１００ｍｍ程、背面板３８は、５０乃至７０ｍｍ程とするのが好適である。
【００３４】
また、背面板３８の上端辺には、フラップ３９が上前方に延在するように取り付けられている。このフラップ３９は、水平面（前後方向及び左右方向で形成される面）に対して２０度の角度、すなわち、背面板３８に対しての内角が１１０度となるように形成されている。また、フラップ３９の自由端側の左右角部分は、角を取って丸く形成されている。
【００３５】
捕獲部２５において正面板３１は、壁面や床面など、障害物の無い広いスペースにいる害虫を捕獲する時に用いられる面であり、以下、第一捕獲面４１と称す。また、捕獲部２５において第一側面板３２及び第二側面板３３は、サッシの隙間等狭いスペースにいる害虫を捕獲する時に用いられる面であり、以下、順に第二捕獲面４２、第三捕獲面４３と称す。また、フラップ３９は、壁面の下方にいる害虫を捕獲するときに使用する部位である。
【００３６】
このように捕獲部２５は、第一捕獲面４１と、第一捕獲部４１の側方に位置する第二捕獲面４２及び第三捕獲面４３と、第一捕獲面４１と対向する位置に位置する背面板３８と、背面板３８の側端辺と第二捕獲面４２及び第三捕獲面４３の後端辺とを繋ぐ２組のＬ字状の板と、により上面視略Ｔ字状の枠体とされている。
【００３７】
滑落部２３は、捕獲部２５で捕獲した害虫を足部２１を介してペットボトル９内に滑落させる部位である。この滑落部２３は、捕獲部２５の下端から徐々に円形に収束する略逆円錐台形状である。そして、この滑落部２３の下端から足部２１が下方に延在されている。足部２１の直径は、２１ｍｍであり、ペットボトル９の口９１に挿入可能な大きさである。
【００３８】
中栓５は、弾性体で形成された略逆円錐台形状であり、下面は曲面形状とされている。また、中栓５の上面の直径は２２乃至２６ｍｍ、中栓の下面の直径は１７乃至２０ｍｍとされている。そして、中栓５の上面には、ヘラ７が取り付けられている。このヘラ７は、上端に複数の切り込みが入れられており、櫛状に形成されている。ヘラ７の素材は、捕獲具本体２と同じ材質でもよいが、先端の櫛状部分が変形可能であれば特に限定されるものではない。なお、ヘラ７の先端の幅は５０ｍｍ、高さが７５ｍｍに形成されているが、捕獲具本体内に収容できる大きさであれば、この数値に限定されるものではない。
【００３９】
このような構成とされた害虫捕獲具１は、図４及び図５に示したように、足部２１をペットボトル９の口９１に挿入し、結合用キャップ２７をペットボトル９の口９１の螺子に螺着することでペットボトル９に装着可能である。そして、害虫捕獲具１は、ペットボトル９に装着された状態で使用する。以下、害虫捕獲具１の使用方法について述べる。
【００４０】
図６は、壁面に留っている害虫８０を捕獲する参考図である。図６に示すように、壁面に害虫８０が留っている場合、捕獲具本体２の第一捕獲面４１の上端を壁面に当接させ、害虫８０の下方から壁面に沿って上方に滑らす。第一捕獲面４１の上端が害虫８０に触れると、害虫８０が自ら捕獲具本体２の内側に滑落し、ペットボトル９の内側まで滑落する。
【００４１】
図７は、壁面の下方、すなわち、床面と壁面の交差する位置の近傍に留っている害虫８０を捕獲する参考図である。図７に示すように、壁面の下方に害虫８０が留っている場合、捕獲具本体２のフラップ３９の上端を壁面に当接させ、フラップ３９の上端縁を壁面に沿って上方に滑らす。フラップ３９の上端縁が害虫８０に触れると、害虫８０が自ら捕獲具本体２の内側に滑落し、捕獲具本体２をペットボトル９と共に起こすと害虫８０がペットボトル９内に滑落する。すなわち、フラップ３９を設けることにより、壁面における床面との交差部分近傍に留っている害虫８０であっても容易に捕獲することができる。
【００４２】
図８は、床面に留っている害虫８０を捕獲する参考図である。図８に示すように、床面に害虫８０が留っている場合、捕獲具本体２を横に寝かせた状態で正面板３１の上端を床面に当接させ、中栓５に取り付けられているヘラ７で害虫８０を捕獲具本体２の内側に送り込む。捕獲具本体２の内側に害虫８０が入ったら、捕獲具本体２をペットボトル９と共に起こし、害虫８０をペットボトル９内に滑落させる。
【００４３】
図９は、サッシ９３に留っている害虫８０を捕獲する参考図である。図９に示すように、サッシ９３の隙間に、第一側面板３２又は第二側面板３３を挿入し（図においては第一側面板３２）、ヘラ７で捕獲具本体２の内側に害虫８０を送り込む。捕獲具本体２の内側に害虫８０が入ったら、捕獲具本体２をペットボトル９と共に起こし、害虫８０をペットボトル９内に滑落させる。
【００４４】
そして、害虫８０を捕獲した後は、図５に示したように、中栓５を閉めることで害虫８０が逃げ出すことを防止できると共に、カメムシのような不快な臭いを出す害虫８０の臭いが外部に漏れることを防止できる。
【００４５】
このように本実施形態における害虫捕獲具１は、捕獲具本体２の上方に狭いスペースに挿入できる部位を形成することにより、サッシの内側に留っている害虫を容易に捕獲することができる。
【００４６】
また、捕獲具本体２の上端にフラップ３９を設け、このフラップ３９を内側上方に斜めに形成することにより、壁面の下方に留っている害虫８０を容易に捕獲することができ、また、捕獲具本体２内に滑落した害虫８０が外に滑落することを防止できる。
【００４７】
また、中栓５を設けることにより、ペットボトル９内に集積されている害虫８０の臭いが外部に漏れることを防止できる。
【００４８】
さらに、ヘラ７を中栓５に取り付けることにより、ヘラ７を別途用意する必要がなくなり、また、ヘラ７だけを他の場所に収納する必要もなくなり、実用性の高い害虫捕獲具１を提供できることとなる。
【００４９】
また、捕獲具本体２を透明な素材で形成しているため、害虫８０を捕獲する時に害虫を刺激することがなく、捕獲時に害虫８０が不快な臭いを出す確率を下げることができる（カメムシを捕獲する実験では不快な臭いは出さなかった）。
【００５０】
なお、本発明は以上の実施例に限定されるものではなく、発明の要旨を変更しない限り設計変更が可能である。例えば、上記実施形態では、サッシの隙間等、狭いスペースで捕獲するのに用いる捕獲面を２つ設けていたが、図１０に示すように、狭いスペース用の捕獲面を１つだけ設ける構成としても良い。すなわち、捕獲部２５を６枚の平面板が側端辺で垂直に結合されて形成される枠体としてもよい。
【産業上の利用可能性】
【００５１】
捕集された害虫を見え難くするために、ラベルが付されたペットボトルを捕集容器とすることが好適である。また、ペットボトルの代わりに専用の捕集容器を設ける構成としても良い。
【符号の説明】
【００５２】
１  害虫捕獲具
２  捕獲具本体
５  中栓
７  ヘラ
９  ペットボトル
２１  足部
２３  滑落部
２５  捕獲部
２７  結合用キャップ
３１  正面板
３２  第一側面板
３３  第二側面板
３４  第一連結板
３５  第二連結板
３６  第三側面板
３７  第四側面板
３８  背面板
３９  フラップ
４１  第一捕獲面
４２  第二捕獲面
４３  第三捕獲面
８０  害虫
９１  口
９３  サッシ
【図１】
2013094143.tif 000003
【図２】
2013094143.tif 000004
【図３】
2013094143.tif 000005
【図４】
2013094143.tif 000006
【図５】
2013094143.tif 000007
【図６】
2013094143.tif 000008
【図７】
2013094143.tif 000009
【図８】
2013094143.tif 000010
【図９】
2013094143.tif 000011
【図１０】
2013094143.tif 000012